(57)【要約】【課題】発電したことを使用者に認識させることができるとともに、静音性の高いリモコン装置を提供する。【解決手段】リモコン装置は、外郭を形成する外郭ケースと、前記外郭ケースに設けられ、押し下げ操作可能な操作ボタンと、前記外郭ケースの内部に設けられ、押動されることで発電可能な発電部を有する発電機と、前記外郭ケースの内部に設けられ、前記操作ボタンが押し下げ操作されると、前記発電機の前記発電部を押動するように移動するリンク機構と、前記外郭ケースの内部に設けられ、前記発電機が発電したときに発生する音を低減させる音低減部と、を備えている。前記発電機は、前記発電部が発電したときに振動を発生させ、前記リンク機構を介して前記操作ボタンに前記振動を伝達することでクリック感を出力するクリック機構を有し、前記音低減部は、前記クリック機構が振動したときに発生する音を低減させる。【選択図】図３
2020147918.tif 000002
【特許請求の範囲】
【請求項１】
外郭を形成する外郭ケースと、
前記外郭ケースに設けられ、押し下げ操作可能な操作ボタンと、
前記外郭ケースの内部に設けられ、押動されることで発電可能な発電部を有する発電機と、
前記外郭ケースの内部に設けられ、前記操作ボタンが押し下げ操作されると、前記発電機の前記発電部を押動するように移動するリンク機構と、
前記外郭ケースの内部に設けられ、前記発電機が発電したときに発生する音を低減させる音低減部と、
を備え、
前記発電機は、前記発電部が発電したときに振動を発生させ、前記リンク機構を介して前記操作ボタンに前記振動を伝達することでクリック感を出力するクリック機構を有し、
前記音低減部は、前記クリック機構が振動したときに発生する音を低減させることを特徴とするリモコン装置。
【請求項２】
前記音低減部は、内部に前記発電機を収納する収納ケースであることを特徴とする請求項１に記載のリモコン装置。
【請求項３】
前記収納ケースは、弾性材料により形成されていることを特徴とする請求項２に記載のリモコン装置。
【請求項４】
前記外郭ケースの内部に設けられ、前記リンク機構が取付けられるベースを、さらに備え、
前記ベースは、前記リンク機構を摺動可能に支持する支持部を有することを特徴とする請求項１〜３のいずれか１項に記載のリモコン装置。
【請求項５】
前記操作ボタンと前記リンク機構との間に設けられ、前記操作ボタンの押し下げ操作により前記リンク機構を水平方向に移動させる伝達機構を、さらに備え、
前記リンク機構は、前記伝達機構に当接する第１スライド杆と、前記第１スライド杆に接続され水平方向に延びる第２スライド杆と、を有し、
前記支持部は、前記第２スライド杆の長手方向に離間して複数個設けられていることを特徴とする請求項４に記載のリモコン装置。
【請求項６】
前記第２スライド杆は、前記長手方向に延びた長孔を有し、
前記支持部は、前記ベースから前記操作ボタン側に向けて突出し、前記第２スライド杆の前記長孔と係合することにより、前記第２スライド杆を前記長手方向に摺動可能に支持することを特徴とする請求項５に記載のリモコン装置。
【請求項７】
前記操作ボタンと前記外郭ケースとの間に設けられ、前記操作ボタンが押し下げ操作されたときに前記操作ボタンと前記外郭ケースとの接触音を低減する緩衝材を、さらに備えたことを特徴とする請求項１〜６のいずれか１項に記載のリモコン装置。
【請求項８】
前記緩衝材は、前記操作ボタンを押し下げ操作したときに、前記外郭ケースと前記操作ボタンとにのみ接触することを特徴とする請求項７に記載のリモコン装置。
【発明の詳細な説明】
【技術分野】
【０００１】
本発明の態様は、一般的に、リモコン装置に関する。
【背景技術】
【０００２】
電子機器を遠隔操作するリモコン装置がある。例えば、便器洗浄や衛生洗浄の吐水などをトイレ装置に指示するためのリモコン装置がある。こうしたリモコン装置において、操作ボタンの押し下げ操作に応じて発電を行う発電機を内部に設け、発電機で発電した電力を用いて、トイレ装置と通信を行うことが知られている。
【０００３】
発電機を備えたリモコン装置では、トイレ装置との信号線の配線や電源の配線を行う必要がなく、設置を容易にすることができる。また、電池交換などを行う必要もなく、電池式のリモコン装置に比べて、メンテナンス性を向上させることもできる。
【０００４】
発電機で十分な発電量を確保するためには、使用者による操作ボタンの押し下げ操作が適切になされる必要がある。そこで、特許文献１には、発電時にクリック音およびクリック感を付与することで、使用者に発電を認識させることができるリモコン装置が開示されている。
【先行技術文献】
【特許文献】
【０００５】
【特許文献１】特許第５９０７４３４号公報
【発明の概要】
【発明が解決しようとする課題】
【０００６】
特許文献１に記載されたリモコン装置は、使用者に発電したことを認識させることができるという効果を有している。しかし、複数の個室（トイレブース）が隣接する公共施設などのトイレ室などでは、静音性が求められる場合もあり、使用者によってはクリック音が不快に感じる虞がある。
【０００７】
本発明は、かかる課題の認識に基づいてなされたものであり、発電したことを使用者に認識させることができるとともに、静音性の高いリモコン装置を提供することを目的とする。
【課題を解決するための手段】
【０００８】
第１の発明は、外郭を形成する外郭ケースと、前記外郭ケースに設けられ、押し下げ操作可能な操作ボタンと、前記外郭ケースの内部に設けられ、押動されることで発電可能な発電部を有する発電機と、前記外郭ケースの内部に設けられ、前記操作ボタンが押し下げ操作されると、前記発電機の前記発電部を押動するように移動するリンク機構と、前記外郭ケースの内部に設けられ、前記発電機が発電したときに発生する音を低減させる音低減部と、を備え、前記発電機は、前記発電部が発電したときに振動を発生させ、前記リンク機構を介して前記操作ボタンに前記振動を伝達することでクリック感を出力するクリック機構を有し、前記音低減部は、前記クリック機構が振動したときに発生する音を低減させることを特徴とするリモコン装置である。
【０００９】
このリモコン装置によれば、クリック機構により発電機内の振動が操作ボタンに伝達されるため、使用者は発電が適切に行われたことを認識することができる。また、音低減部により、クリック機構が振動したときの音が低減されるため、リモコン装置の操作音を他の使用者に聞こえ難くでき、静音性を向上させることができる。
【００１０】
第２の発明は、第１の発明において、前記音低減部は、内部に前記発電機を収納する収納ケースであることを特徴とするリモコン装置である。
【００１１】
このリモコン装置によれば、音自体を低減するのではなく、収納ケースにより音が外部に漏れないようにしている。これにより、操作ボタンに伝達される振動を大きくしてクリック感を得やすくしても、外部に漏れる音を小さくすることができる。
【００１２】
第３の発明は、第２の発明において、前記収納ケースは、弾性材料により形成されていることを特徴とするリモコン装置である。
【００１３】
このリモコン装置によれば、収納ケースを例えばゴムなどの弾性材料により形成しているので、防音性を高くすることができる。
【００１４】
第４の発明は、第１〜第３のいずれか１つの発明において、前記外郭ケースの内部に設けられ、前記リンク機構が取付けられるベースを、さらに備え、前記ベースは、前記リンク機構を摺動可能に支持する支持部を有することを特徴とするリモコン装置である。
【００１５】
このリモコン装置によれば、リンク機構が支持部により摺動可能に支持されているので、リンク機構のがたつきを抑制することができ、リンク機構が作動したときにリンク機構と他の部材との接触音を低減することができる。
【００１６】
第５の発明は、第４の発明において、前記操作ボタンと前記リンク機構との間に設けられ、前記操作ボタンの押し下げ操作により前記リンク機構を水平方向に移動させる伝達機構を、さらに備え、前記リンク機構は、前記伝達機構に当接する第１スライド杆と、前記第１スライド杆に接続され水平方向に延びる第２スライド杆と、を有し、前記支持部は、前記第２スライド杆の長手方向に離間して複数個設けられていることを特徴とするリモコン装置である。
【００１７】
このリモコン装置によれば、支持部がリンク機構の長手方向に複数個設けられているので、リンク機構を安定して保持させることができる。これにより、リンク機構が作動したときに発生する音を低減することができる。
【００１８】
第６の発明は、第５の発明において、前記第２スライド杆は、前記長手方向に延びた長孔を有し、前記支持部は、前記ベースから前記操作ボタン側に向けて突出し、前記第２スライド杆の前記長孔と係合することにより、前記第２スライド杆を前記長手方向に摺動可能に支持することを特徴とするリモコン装置である。
【００１９】
このリモコン装置によれば、第２スライド杆が支持部に対して摺動するので、リンク機構と他の部材との接触箇所が少なく、リンク機構が作動したときに発生する音を低減することができる。
【００２０】
第７の発明は、第１〜第６のいずれか１つの発明において、前記操作ボタンと前記外郭ケースとの間に設けられ、前記操作ボタンが押し下げ操作されたときに前記操作ボタンと前記外郭ケースとの接触音を低減する緩衝材を、さらに備えたことを特徴とするリモコン装置である。
【００２１】
このリモコン装置によれば、緩衝材によって、操作ボタンと外郭ケースとの突き当たり音（接触音）を低減したため、操作ボタンを押し下げ操作したときの操作音をより低減できる。
【００２２】
第８の発明は、第７の発明において、前記緩衝材は、前記操作ボタンを押し下げ操作したときに、前記外郭ケースと前記操作ボタンとにのみ接触することを特徴とするリモコン装置である。
【００２３】
このリモコン装置によれば、緩衝材がリンク機構や伝達機構に接触していないので、発電機のクリック機構で出力されるクリック感を減衰させずに使用者に伝えることができる。
【発明の効果】
【００２４】
本発明の態様によれば、発電したことを使用者に認識させることができるとともに、操作ボタンを操作したときの静音性を向上することができる。
【図面の簡単な説明】
【００２５】
【図１】図１（ａ）および図１（ｂ）は、本発明の実施形態に係るリモコン装置を備えたトイレ室を模式的に示す斜視図である。
【図２】図１中のリモコン装置を拡大して示す斜視図である。
【図３】リモコン装置を分解して示す分解斜視図である。
【図４】図３中のベースを拡大して示す斜視図である。
【図５】図４中のリンク機構が作動した場合を示す斜視図である。
【図６】発電機と収納ケースとを分解して示す分解斜視図である。
【図７】図４中の伝達機構、第１リンクの長孔、支持部を拡大して示す斜視図である。
【図８】図２中のリモコン装置を矢示Ａ−Ａ方向からみた断面斜視図である。
【図９】図４中のベース、第１リンク、長孔、支持部を矢示Ｂ−Ｂ方向からみた断面斜視図である。
【図１０】図２中のリモコン装置を矢示Ｃ−Ｃ方向からみた断面図である。
【図１１】リモコン装置を模式的に示すブロック図である。
【図１２】本発明の変形例によるリモコン装置のリンク機構などを示す正面図である。
【発明を実施するための形態】
【００２６】
以下、本発明の実施形態について図面を参照しつつ説明する。なお、各図面中、同様の構成要素には同一の符号を付して詳細な説明は適宜省略する。  
図１（ａ）および図１（ｂ）は、本発明の実施形態に係るリモコン装置を備えたトイレ室を模式的に示す斜視図である。  
リモコン装置１０は、トイレ装置１００とともに用いられる。リモコン装置１０は、複数の操作ボタン１４を含む。各操作ボタン１４は、例えば押し下げ操作が可能な、いわゆる押しボタンである。リモコン装置１０は、各操作ボタン１４の操作を検出し、操作された操作ボタン１４に応じた無線信号をトイレ装置１００に送信する。トイレ装置１００は、リモコン装置１０から送信された無線信号を受信し、その無線信号に応じた動作を実行する。このように、リモコン装置１０は、使用者の操作に応じて、所定の動作の実行をトイレ装置１００に指示し、トイレ装置１００を遠隔操作する。
【００２７】
トイレ装置１００は、洋式腰掛便器１１０（以下、便器１１０と称す）と、その上に設けられた便座ユニット１２０と、を備える。
【００２８】
便器１１０は、ボウル部１１２を有する。ボウル部１１２は、便器１１０の上部に設けられる。ボウル部１１２は、便器１１０の上面１１０ａよりも凹んだ凹状である。ボウル部１１２は、使用者から排泄された汚物や尿などを受ける。また、ボウル部１１２は、内部に水を貯留し、排水管から悪臭や害虫類などが室内に侵入することを防ぐ。
【００２９】
便座ユニット１２０は、本体部１２２と、便座１２４と、便蓋１２６と、を有する。便座１２４と便蓋１２６とは、本体部１２２に対して開閉可能にそれぞれ軸支されている。図１（ａ）および図１（ｂ）は、便蓋１２６が開いた状態を表している。図１（ａ）は、便座１２４が開いた状態を表している。図１（ｂ）は、便座１２４が閉じた状態を表している。便蓋１２６は、閉じた状態において便座１２４の上方を覆う。なお、便蓋１２６は、必ずしも設けられていなくてもよい。
【００３０】
便座ユニット１２０は、例えば衛生洗浄機能と、便座暖房機能と、を有する。衛生洗浄機能は、便座１２４に座った使用者の「おしり」などを洗浄する洗浄動作を行う機能である。便座暖房機能は、便座１２４の着座面を適温に温める便座加熱動作を行う機能である。また、便座１２４に座った使用者の「おしり」などに温風を吹き付けることにより、衛生洗浄によって濡れた「おしり」などを乾燥させる局部乾燥機能を設けていてもよい。
【００３１】
衛生洗浄機能では、例えば、使用者の操作に応じて、人体局部に向けて洗浄水を吐水するノズル１３０を本体部１２２から便器１１０のボウル部１１２内に進出させる。そして、ノズル１３０の先端付近に設けられた吐水口から洗浄水を噴射する。これにより、使用者の「おしり」などを洗浄することができる。ノズル１３０は、衛生洗浄機能を実行していない状態では、本体部１２２内に収納される。
【００３２】
また、衛生洗浄機能は、例えば、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータによって加熱した温水を洗浄水として吐水口から噴射することもできる。
【００３３】
本体部１２２は、便器１１０の上部後方に設置される。本体部１２２の前面は、ボウル部１１２の開口端の形状に沿って凹状に湾曲した湾曲凹面１３２を有する。湾曲凹面１３２の左右には、ボウル部１１２の開口端に沿って前方に向けて延出した延出部１３４が設けられている。湾曲凹面１３２は、その中央付近が高く、左右の延出部１３４に近づくにしたがって次第に低くなる形状を有する。
【００３４】
湾曲凹面１３２の中央には、ノズルダンパー１３６が設けられている。ノズルダンパー１３６は、ノズル１３０を進出および後退させる開口部を覆う閉止部材である。ノズルダンパー１３６は、例えば本体部１２２に回動可能に支持されている。ノズルダンパー１３６は、例えば支持軸を中心に回転することにより、開口部を覆う閉じ位置と、開口部を露出させる開き位置との間で移動する。ノズルダンパー１３６は、衛生洗浄機能を実行していない待機状態において、閉じ位置に保持される。そして、ノズルダンパー１３６は、衛生洗浄機能の実行によってノズル１３０が進出する際に、開き位置に移動する。
【００３５】
図２は、図１中のリモコン装置を拡大して示す斜視図である。
図３は、リモコン装置を分解して示す分解斜視図である。
図４は、図３中のベースを拡大して示す斜視図である。
図５は、図４中のリンク機構が作動した場合を示す斜視図である。
図６は、発電機と収納ケースとを分解して示す分解斜視図である。
図７は、図４中の伝達機構、第１リンクの長孔、支持部を拡大して示す斜視図である。
図８は、図２中のリモコン装置を矢示Ａ−Ａ方向からみた断面斜視図である。
図９は、図４中のベース、第１リンク、長孔、支持部を矢示Ｂ−Ｂ方向からみた断面斜視図である。
図１０は、図２中のリモコン装置を矢示Ｃ−Ｃ方向からみた断面図である。
図１１は、リモコン装置を模式的に示すブロック図である。
【００３６】
図２、図３に示すように、リモコン装置１０は、外郭を形成する外郭ケース１１と、操作ボタン１４と、発電機１７と、リンク機構４０と、を備えている。外郭ケース１１は、トイレ室の壁面に取付けられる第１ケース１２と、第１ケース１２に取付けられる第２ケース１３と、を有している。第１ケース１２と第２ケース１３との間には、発電機１７、伝達機構３０、およびリンク機構４０が取付けられるベース１５が設けられている。また、ベース１５と第１ケース１２との間には、基板８２が設けられている。
【００３７】
図３、図１０に示すように、第２ケース１３の表面板１３ａには、操作ボタン１４が上端側を支点として押し下げ操作可能に取付けられている。第２ケース１３の表面板１３ａには、各操作ボタン１４の下端側に対応する位置に、操作ボタン１４の押し下げ操作の最下点位置を規定するための突当り部１３ｂが形成されている。この突当り部１３ｂには、後述の緩衝材７０が設けられている。また、表面板１３ａには、各操作ボタン１４の中央部に対応する位置に、それぞれ貫通孔１３ｃが形成されている。この貫通孔１３ｃには、後述する伝達機構３０の押圧部材３２が摺動可能に挿通している。
【００３８】
操作ボタン１４は、第２ケース１３の表面板１３ａに上下方向に２列に並んで設けられている。各操作ボタン１４は、上端側が回動可能な固定端（支点）となり、下端側が押し下げ可能な自由端となっている。図２に示すように、第２ケース１３の上段側には、例えばリモコン装置１０の長手方向の一側（図２中の左側）から他側（図２中の右側）に向けて順番に、停止ボタン１４ａ、おしり洗浄ボタン１４ｂ、ビデ洗浄ボタン１４ｃ、および音発生ボタン１４ｄが設けられている。一方、第２ケース１３の下段側には、例えばリモコン装置１０の長手方向の一側から他側に向けて順番に、吐水流量小ボタン１４ｅ、吐水流量大ボタン１４ｆ、音量小ボタン１４ｇ、音量大ボタン１４ｈ、およびノズル洗浄ボタン１４ｉが設けられている。
【００３９】
おしり洗浄ボタン１４ｂは、トイレ装置１００におしり洗浄の開始を指示するためのボタンである。ビデ洗浄ボタン１４ｃは、トイレ装置１００にビデ洗浄の開始を指示するためのボタンである。音発生ボタン１４ｄは、トイレ装置１００に擬音（マスキング音）発生の開始を指示するためのボタンである。停止ボタン１４ａは、トイレ装置１００に衛生洗浄機能やマスキング音の停止を指示するためのボタンである。すなわち、この例においては、おしり洗浄ボタン１４ｂとビデ洗浄ボタン１４ｃとが、ノズル１３０からの吐水を行わせるための吐水ボタンである。停止ボタン１４ａは、押し下げ操作により、ノズル１３０からの吐水を停止させる。
【００４０】
吐水流量小ボタン１４ｅは、衛生洗浄時に噴射される洗浄水の勢いを弱くする指示をトイレ装置１００に入力するためのボタンである。吐水流量大ボタン１４ｆは、衛生洗浄時に噴射される洗浄水の勢いを強くする指示をトイレ装置１００に入力するためのボタンである。音量小ボタン１４ｇは、マスキング音の音量を小さくする指示をトイレ装置１００に入力するためのボタンである。音量大ボタン１４ｈは、マスキング音の音量を大きくする指示をトイレ装置１００に入力するためのボタンである。
【００４１】
ノズル洗浄ボタン１４ｉは、ノズル１３０を洗浄する指示をトイレ装置１００に入力するためのボタンである。なお、各操作ボタン１４は、上記のものに限定されるものではない。例えば、局部を乾燥させるための温風を吹出させる指示をトイレ装置１００に入力するためのボタン、洗浄水や乾燥風の温度の変更をトイレ装置１００に指示するためのボタンなどを設けてもよい。
【００４２】
ベース１５は、外郭ケース１１の内部に位置して、第１ケース１２にねじ止めされている。このベース１５には、各操作ボタン１４に対応する位置にそれぞれ挿通穴１５ａが形成されている。この挿通穴１５ａは、リモコン装置１０の長手方向に延びるように形成されている。各挿通穴１５ａには、後述の伝達機構３０が設けられている。
【００４３】
また、図４に示すように、ベース１５には、下段の長手方向の一側（図４中の左側）に発電機１７を取付けるための発電機取付部１６が設けられている。発電機取付部１６は、第２ケース１３をベース１５に取付けた状態で、停止ボタン１４ａの下側に位置している。発電機取付部１６は、ベース１５の裏面側（第１ケース１２側）が発電機１７を取付けるための取付開口となっており、表面側（第２ケース１３側）に発電機１７を覆うカバー１６ａが設けられている。
【００４４】
発電機１７は、ベース１５の発電機取付部１６に取付けられ、外郭ケース１１の内部に設けられている。この発電機１７は、後述のリンク機構４０および伝達機構３０を介して各操作ボタン１４に接続され、操作ボタン１４のいずれかが押し下げ操作されることにより発電する。そして、発電機１７は、押動されることで発電可能な発電部１８と、発電部１８が発電したときに振動を発生させるクリック機構１９とを有している。
【００４５】
発電部１８には、操作ボタン１４の押し下げ操作により押動される可動部１８ａと、可動部１８ａの作動により回転されるモータ（図示せず）とが設けられている。可動部１８ａは、バネなどにより発電機１７の外部に向けて付勢されている。可動部１８ａは、後述のリンク機構４０の第２リンク５１に接続され、第２リンク５１の移動によりバネの弾性力に抗して発電機１７の内部に押し込まれる。可動部１８ａが押し込まれると、モータの回転軸が回転し、モータから交流の電力が発生する。発電部１８の発電方式は、モータに限ることなく、必要な電力を供給できる任意の方式でよい。また、発電部１８から出力される電力は、直流でもよいし、脈流でもよい。
【００４６】
クリック機構１９は、発電部１８が発電したときに振動を発生させ、この振動が後述のリンク機構４０を介して操作ボタン１４に伝達されることで、クリック感を出力する。具体的には、操作ボタン１４が押し込み操作されることにより、可動部１８ａがバネの弾性力に抗して押し込まれると、可動部１８ａに係合した連動部材が移動する。そして、可動部１８ａが押し込み位置まで移動すると、連動部材と可動部１８ａとの係合状態が解除され、連動部材が弾性力によって初期位置に戻る。連動部材は、初期位置に戻るときに、他の部材に衝突して停止する。連動部材と他の部材との衝突により発生する振動は、可動部１８ａ、リンク機構４０、および伝達機構３０を介して操作ボタン１４に伝達され、使用者にクリック感として伝わる。この場合、連動部材が初期位置に戻ると、連動部材を付勢しているバネの弾性力が解除されるので操作ボタン１４の操作力が弱まり、使用者がクリック感を感じやすくなる。
【００４７】
また、連動部材は、ギヤなどを介してモータの回転軸に連結されており、連動部材が初期位置に戻るときの勢いで回転軸が回転することにより発電が行われる。すなわち、クリック機構１９は、発電部１８が発電した時に、押し下げ操作された操作ボタン１４にクリック感を出力する。この場合、クリック機構１９は、連動部材と他の部材との衝突により音（打音）が発生する。この発電機１７の構成では、例えば使用者の押し下げ操作の速度などに依存せず、連動部材に加える弾性力によって発電量を制御することができる。これにより、例えば操作毎の発電量のバラツキを抑制することができ、安定した発電量を得ることができる。この例において、クリック機構１９は、発電部１８の発電機構の一部を兼ねている。クリック機構１９は、必ずしも発電部１８に設ける必要はなく、発電部１８と別に設けてもよい。
【００４８】
収納ケース２０は、内部に発電機１７を収納した状態で、ベース１５の発電機取付部１６（外郭ケース１１の内部)に設けられる。収納ケース２０は、例えば樹脂およびゴムなどの防音性を有する弾性材料により形成され、発電機１７が発電したときに発生する音を低減させている。図４〜図６に示すように、収納ケース２０は、ベース１５の発電機取付部１６に取付けられた状態で、カバー１６ａ側に位置する前ケース２０ａと、第１ケース１２側に位置して前ケース２０ａに嵌合する後ケース２０ｂと、を有している。発電機１７は、前ケース２０ａと後ケース２０ｂとにより全体が覆われている。前ケース２０ａは、発電機１７の外形形状に沿って形成され、発電機１７の可動部１８ａの下端側に対応する位置に貫通孔２００が形成されている。この貫通孔２００には、第２リンク５１の先端側が収納ケース２０の外部から内部に向けて挿通している。
【００４９】
収納ケース２０は、本発明の音低減部を構成するもので、クリック機構１９が振動したときに発生する音を低減させるものである。この場合、収納ケース２０は、発電部１８が発電したときに、連動部材と他の部材との衝突により発生する音が外部に漏れないように遮音している。すなわち、収納ケース２０は、外郭ケース１１の外部に漏れる音を低減している。これにより、使用者は、使用者にとって不快となり得る音は感じずに、指先からクリック感のみを感じることができる。その結果、静音性を保った状態で、使用者に発電したことを認識させることができる。また、収納ケース２０は、発電機１７のみを覆っているので、リモコン装置１０を大型化させることなく、静音性を向上させることができる。
【００５０】
伝達機構３０は、ベース１５の各挿通穴１５ａにそれぞれ摺動可能に設けられている。この伝達機構３０は、各操作ボタン１４とリンク機構４０との間に設けられ、各操作ボタン１４の押し下げ操作によりリンク機構４０をリモコン装置１０の長手方向に移動させるものである。図７、図８に示すように、伝達機構３０は、ベース１５から操作ボタン１４に向けて突出する突出棒３１と、突出棒３１に摺動可能に設けられ操作ボタン１４により押圧される押圧部材３２と、押圧部材３２により挿通穴１５ａ内を移動する動力伝達部材３３と、を有している。
【００５１】
押圧部材３２は、筒状に形成され、内部に突出棒３１が挿通している。押圧部材３２は、第２ケース１３とベース１５との間で動力伝達部材３３に当接している。また、押圧部材３２は、第２ケース１３の貫通孔１３ｃから操作ボタン１４に向けて突出し、操作ボタン１４に当接している。これにより、操作ボタン１４を押し下げ操作すると、押圧部材３２は動力伝達部材３３を押圧するようになっている。
【００５２】
動力伝達部材３３は、挿通穴１５ａ内をリモコン装置１０の長手方向に移動可能に設けられている。この動力伝達部材３３の中央部には、突出棒３１が挿通する挿通孔３３ａがリモコン装置１０の長手方向に延びるように形成されている。動力伝達部材３３は、第２ケース１３の表面板１３ａに対面する傾斜面３３ｂを有している。この傾斜面３３ｂには、押圧部材３２が当接している。これにより、押圧部材３２が傾斜面３３ｂを押圧すると、動力伝達部材３３にリモコン装置１０の長手方向（横方向）への力が働き、動力伝達部材３３が挿通穴１５ａを移動する。動力伝達部材３３は、挿通穴１５ａに設けられた戻しバネ３４により付勢され、操作ボタン１４の押し下げ操作が解除されたときに、戻しバネ３４の弾性力により初期位置（図４の位置）に戻される。
【００５３】
リンク機構４０は、ベース１５に取付けられた状態で、外郭ケース１１の内部に設けられている。このリンク機構４０は、例えば金属材料、樹脂材料により形成され、操作ボタン１４が押し下げ操作されると、発電機１７の発電部１８を押動するように移動する。リンク機構４０は、上段側に位置してリモコン装置１０の長手方向に延びる第１リンク４１と、下段側（第１リンク４１よりも下側）に位置してリモコン装置１０の長手方向に延びる第２リンク５１と、リモコン装置１０の長手方向の他側に位置して、第１リンク４１と第２リンク５１とを連結する連結杆６０と、を有している。第１リンク４１と第２リンク５１とは同様の構成となっているので、以下第１リンク４１について詳しく説明し、第２リンク５１についてはその説明を省略する。
【００５４】
第１リンク４１は、伝達機構３０の動力伝達部材３３に当接する第１スライド杆４２と、第１スライド杆４２に接続され水平方向に延びる第２スライド杆４３と、を有している。第１スライド杆４２は、第２スライド杆４３から上方に向けてＬ字状に延び、先端側がベース１５の挿通穴１５ａに挿通して動力伝達部材３３に当接している。
【００５５】
一方、第２スライド杆４３は、リモコン装置１０（ベース１５）の長手方向に延びている。第２スライド杆４３の長手方向の他側には、連結杆６０の上端が接触する接触部４３ａが設けられている。そして、第２スライド杆４３の長手方向の他側端部には、ベース１５との間に第１リンク４１を一側に向けて付勢する戻しバネ４４が設けられている。戻しバネ４４は、操作ボタン１４の押し下げ操作が解除されると、第１リンク４１を図４に示す初期位置に戻す。第２スライド杆４３は、長手方向に延びた長孔４３ｂを有している。この長孔４３ｂは、第２スライド杆４３の長手方向に離間して複数個（例えば、２個）設けられている。各長孔４３ｂには、後述の支持部４５が摺動可能に係合される。
【００５６】
支持部４５は、リンク機構４０の第１リンク４１とベース１５との間に設けられている。この支持部４５は、ベース１５から操作ボタン１４側に向けて突出して第１リンク４１を摺動可能に支持するものである。支持部４５は、がたつきを低減することで、クリック機構１９が振動したときに発生する音を低減する音低減部となっている。支持部４５は、第１リンク４１の第２スライド杆４３の長手方向に離間して複数個（例えば、２個）設けられている。第２スライド杆４３は、複数個の支持部４５によりベース１５に支持されることで下方への撓みが抑制され、円滑にスライド移動することができる。支持部４５は、第２スライド杆４３の長孔４３ｂに係合することにより、第２スライド杆４３を長手方向に摺動可能に支持している。
【００５７】
支持部４５は、長孔４３ｂの上下方向の面部に隙間なく係合していてもよいし、上下方向の面部のどちらか一方にのみ当接していてもよい。支持部４５が前記面部のどちらか一方にのみ当接している場合には、支持部４５を回転可能なローラとすることにより、第２スライド杆４３を円滑にスライド移動させることができる。また、支持部４５と長孔４３ｂとにより、第１リンク機構４０の製造公差を吸収することができる。従って、第１リンク機構４０をベース１５に取付けたときに、第１リンク機構４０のがたつきを抑制することができる。その結果、第１リンク機構４０が作動したときおよびクリック機構１９から操作ボタン１４に向けて振動が伝わるときに、他の部材と接触する打音（接触音）を低減することができる。
【００５８】
図９に示すように、支持部４５は、ベース１５から突出する軸部４６と、軸部４６の先端側に設けられ、第２スライド杆４３を挟む一対の鍔部４７と、を有している。一対の鍔部４７は、第２スライド杆４３を厚さ方向で挟持することにより、第２スライド杆４３のがたつきを抑制している。これにより、操作ボタン１４が押し下げ操作されたときに第１リンク４１を円滑にスライド移動させることができ、第１リンク４１から発する作動音を低減することができる。
【００５９】
第２リンク５１も第１リンク４１と同様に、第１スライド杆５２と、第２スライド杆５３と、を有している。第２スライド杆５３の長手方向の他側には、連結杆６０の下端が接触する接触部５３ａが設けられている。また、第２スライド杆５３は、長孔５３ｂを有している。第２スライド杆５３の一側端部は、収納ケース２０の貫通孔２００から収納ケース２０の内部に挿通して、発電機１７の可動部１８ａに当接している。この場合、操作ボタン１４が押し下げ操作されると、第２スライド杆５３が発電機１７に向けてスライド移動することにより可動部１８ａを押動する。これにより、発電機１７は、発電を行う。また、第２スライド杆５３の一側には、ベース１５との間に第１リンク５１を他側に向けて付勢する戻しバネ５４が設けられている。戻しバネ５４は、操作ボタン１４の押し下げ操作が解除されると、第２リンク５１を図４に示す初期位置に戻す。
【００６０】
リンク機構４０の第２リンク５１とベース１５との間にも複数個の支持部５５が設けられている。支持部５５も第１リンク４１の支持部４５と同様に、第２スライド杆５３の長孔５３ｂに摺動可能に係合している。支持部５５は、第２リンク５１の作動音を抑制する音低減部となっており、軸部５６と、一対の鍔部５７と、を有している。支持部５５は、第２リンク５１のがたつきを抑制して、第２リンク５１が作動したときの作動音を低減している。
【００６１】
連結杆６０は、第１リンク４１と第２リンク５１との間に位置して、ベース１５に回動可能に設けられている。図４、図５に示すように、連結杆６０は、長さ方向の中央部が回動支点となっており、上端側が第１リンク４１の第２スライド杆４３の接触部４３ａに接触し、下端側が第２リンク５１の第２スライド杆５３の接触部５３ａに接触している。
【００６２】
連結杆６０は、第１リンク４１がベース１５の一側から他側に向けてスライド移動したときに接触部４３ａにより押圧されて回動し、接触部５３ａを押圧して第２リンク５１をベース１５の他側から一側（発電機１７側）に向けてスライド移動させる。
【００６３】
緩衝材７０は、操作ボタン１４と外郭ケース１１との間に設けられている。緩衝材７０は、各操作ボタン１４に対応して設けられている。図３、図１０に示すように、緩衝材７０は、第２ケース１３の突当り部１３ｂに設けられている。緩衝材７０は、例えばスポンジ、ゴムなどの弾性材料からなり、操作ボタン１４が押し下げ操作されたときに操作ボタン１４と外郭ケース１１との接触音を低減するものである。また、緩衝材７０は、使用者が操作ボタン１４を押し下げ操作したときの感触を滑らかなものにすることができ、高級感を与えることができる。
【００６４】
緩衝材７０は、操作ボタン１４が押し下げ操作されたときに、外郭ケース１１（第２ケース１３）と操作ボタン１４とにのみ接触する。すなわち、緩衝材７０は、伝達機構３０およびリンク機構４０には接触していない。これにより、発電機１７のクリック機構１９が発した振動を、リンク機構４０および伝達機構３０を介して操作ボタン１４に伝達することができ、使用者にクリック感を付与することができる。なお、緩衝材７０は、第２ケース１３の突当り部１３ｂに限らず、操作ボタン１４の下端側に設けてもよい。
【００６５】
図１１に示す複数の検出部８０は、複数の操作ボタン１４のそれぞれに対応して設けられている。複数の検出部８０のそれぞれは、複数の操作ボタン１４のそれぞれの押し下げ操作を検出する。各検出部８０には、例えば基板８２に設けられたホール素子が用いられる。各検出部８０は、例えば機械式のスイッチなどでもよい。
【００６６】
基板８２は、第１ケース１２とベース１５との間に設けられている。基板８２には、電源部８４および制御部８６が設けられている。電源部８４は、発電機１７によって発電された電力を蓄積する蓄電素子８４ａを含む。電源部８４は、蓄電素子８４ａの電圧が所定値以上になったときに、蓄電素子８４ａに蓄積された電力を制御部８６に供給して制御部８６を起動させる。蓄電素子８４ａには、例えばコンデンサや蓄電池などが用いられる。蓄電素子８４ａの容量は、例えば制御部８６の起動および無線信号の送信に必要な電力を蓄積できる最低限の容量に設定される。これにより、例えば蓄電素子８４ａの大型化を抑制できる。また、蓄電素子８４ａに残った余剰の電力によって、制御部８６が誤動作を起こすことなどを抑制できる。
【００６７】
制御部８６は、発電機１７で発電された電力を用いて動作する。制御部８６は、複数の検出部８０のそれぞれと電気的に接続されている。制御部８６は、複数の検出部８０のそれぞれの検出結果を基に、押し下げ操作された操作ボタン１４を判別する。そして、制御部８６は、判別した操作ボタン１４に対応した無線信号をトイレ装置１００に送信することにより、トイレ装置１００を遠隔操作する。
【００６８】
制御部８６は、例えばおしり洗浄ボタン１４ｂの押し下げ操作を判別した場合、おしり洗浄の開始を指示する無線信号をトイレ装置１００に送信する。トイレ装置１００は、リモコン装置１０からの無線信号を受信し、その無線信号に対応した処理を実行する。トイレ装置１００は、例えばおしり洗浄の開始を指示する無線信号の受信に応じて、ノズル１３０をボウル部１１２内に進出させ、ノズル１３０からの吐水を開始する。制御部８６は、同じ無線信号をトイレ装置１００に複数回（例えば、３回）送信する。これにより、リモコン装置１０とトイレ装置１００との間の通信ミスを抑制することができる。
【００６９】
制御部８６は、例えばマイコン８６ａと、高周波発生回路８６ｂと、送信部８６ｃと、を含む。マイコン８６ａは、例えば押し下げ操作された操作ボタン１４の判別および判別した操作ボタン１４に対応する信号の生成を行う。高周波発生回路８６ｂは、例えばマイコン８６ａの生成した信号を高周波信号に変換する。高周波発生回路８６ｂは、例えば２．４ＧＨｚの高周波信号を生成する。送信部８６ｃは、例えばアンテナを含み、高周波発生回路８６ｂの生成した高周波信号を無線信号に変換してトイレ装置１００に送信する。
【００７０】
制御部８６は、２．４ＧＨｚの無線信号をトイレ装置１００に送信する。２．４ＧＨｚ帯を用いた無線通信では、例えば赤外線通信の場合のように、電波の透過窓（いわゆる黒窓）を外郭ケース１１に設ける必要がなくなる。これにより、例えばリモコン装置１０の意匠性を高めることができる。また、２．４ＧＨｚ帯を用いた無線通信では、赤外線通信に比べて障害物の影響が小さい。これにより、トイレ装置１００との間の通信品質を高めることもできる。なお、マイコン８６ａ、高周波発生回路８６ｂおよび送信部８６ｃは、１つのチップ内に納めてもよいし、異なる素子として分けてもよい。リモコン装置１０とトイレ装置１００との間の通信は、上記に限ることなく、任意でよい。制御部８６の構成は、上記に限ることなく、各操作ボタン１４の判別やトイレ装置１００との無線通信などが可能な任意の構成でよい。
【００７１】
本実施形態によるリモコン装置１０は、上述の如き構成を有するもので、次にリモコン装置１０の操作ボタン１４が押し下げ操作されたときの伝達機構３０とリンク機構４０との作動について説明する。以下の説明では、衛生洗浄機能やマスキング音の停止を指示するための停止ボタン１４ａが押し下げ操作された場合について説明する。
【００７２】
図４は、停止ボタン１４ａの押し下げ操作がされていないときの伝達機構３０とリンク機構４０との位置を示している。一方、図５は、停止ボタン１４ａの押し下げ操作がなされたときの伝達機構３０とリンク機構４０との位置を示している。
【００７３】
停止ボタン１４ａが押し下げ操作されると、伝達機構３０の押圧部材３２が貫通孔１３ｃからベース１５に向けて押し込まれる。停止ボタン１４ａは、下端側が緩衝材７０を介して第２ケース１３の突当り部１３ｂに突き当ることにより、押し下げ操作が規制される。緩衝材７０により、停止ボタン１４ａと第２ケース１３との接触音が低減され、静音性を向上することができる。また、緩衝材７０により、停止ボタン１４ａの押し下げ時の感触が柔らかになり、使用者に高級感を与えることができる。
【００７４】
押圧部材３２は、停止ボタン１４ａの押し下げ操作により動力伝達部材３３を押圧する。この場合、動力伝達部材３３は、押圧部材３２との当接面が傾斜面３３ｂとなっている。従って、動力伝達部材３３の傾斜面３３ｂは、押圧部材３２の押圧方向の力を横方向（図４、図５中の右側）に分力する。これにより、動力伝達部材３３は、戻しバネ３４の弾性力に抗して挿通穴１５ａを一側（図５中の左側）から他側（図５中の右側）に向けて移動する。
【００７５】
そして、動力伝達部材３３は、第１リンク４１の第１スライド杆４２を一側から他側に向けて押圧する。これにより、第１リンク４１は、戻しバネ４４の弾性力に抗してスライド移動することにより、第２スライド杆４３の接触部４３ａが連結杆６０を回動させる。そして、連結杆６０は、第２リンク５１の第２スライド杆５３の接触部５３ａを他側から一側に向けて押圧する。これにより、第２スライド杆５３は、収納ケース２０の貫通孔２００から収納ケース２０の内部に差込まれて、発電機１７の可動部１８ａを押動する。
【００７６】
発電機１７の発電部１８は、可動部１８ａが押動されることにより発電する。可動部１８ａが押し込み位置まで移動すると、可動部１８ａに係合するクリック機構１９の連動部材がバネの弾性力によって初期位置に戻る。このとき、連動部材は、他の部材に衝突して停止する。連動部材が初期位置に戻ると、連動部材を付勢しているバネの弾性力が解除されるので、停止ボタン１４ａの操作力が弱まる。そして、連動部材と他の部材との衝突により発生する振動が、可動部１８ａ、リンク機構４０、および伝達機構３０を介して操作ボタン１４に伝達され、使用者にクリック感として伝わる。
【００７７】
ここで、クリック機構１９は、連動部材が他の部材と衝突することにより、クリック感のための振動を発生させるとともに、衝突音（打音）を発生させる。この衝突音は、例えばトイレブース内の使用者が停止ボタン１４ａなどを操作したことを他人に知られるので、使用者にとって不快な音となる虞がある。そこで、本実施形態では、発電機１７を防音性の高い弾性材料からなる収納ケース２０で覆うことにより、発電機１７内で発生した衝突音が外郭ケース１１の外部に漏れないようにしている。これにより、停止ボタン１４ａを押し下げ操作したときには、クリック感のみが使用者に伝わることになる。
【００７８】
この場合、第２ケース１３の突当り部１３ｂには、停止ボタン１４ａが押し下げ操作されたときのクッションとなる緩衝材７０が設けられている。これにより、停止ボタン１４ａが押し下げ操作されたときに、第２ケース１３の突当り部１３ｂに停止ボタン１４ａが衝突したときの衝突音を低減することができ、静音性を向上することができる。また、緩衝材７０は、停止ボタン１４ａが押し下げ操作されたときに、停止ボタン１４ａと第２ケース１３とにのみ接触している。これにより、クリック機構１９で発生した振動は、緩衝材で減衰されることなく停止ボタン１４ａに伝達されるので、クリック感を効果的に使用者に伝えることができる。
【００７９】
また、本実施形態では、リンク機構４０の第１リンク４１が支持部４５により、ベース１５に対してスライド移動可能に支持されている。支持部４５は、長孔４３ｂにより第１リンク４１の製造公差を吸収させてベース１５に第１リンク４１を取付けることができる。また、支持部４５は、一対の鍔部４７が第２スライド杆４３を挟持することによりがたつきを抑制している。さらに、支持部４５は、第２スライド杆４３の長手方向に離間して複数個設けられているので、第２スライド杆４３が下方に撓むのを抑制している。一方、リンク機構４０の第２リンク５１も同様に、支持部５５により、がたつきを抑制することができる。
【００８０】
これにより、停止ボタン１４ａの押し下げ操作がなされてリンク機構４０がスライド移動したとき、クリック機構１９からリンク機構４０を介して停止ボタン１４ａに振動が伝わるとき、および停止ボタン１４ａの押し下げ操作が解除されてリンク機構４０が初期位置に戻るときのリンク機構４０の作動を円滑に行うことができ、作動音の発生を抑制することができる。
【００８１】
かくして、本実施形態によるリモコン装置１０は、外郭を形成する外郭ケース１１と、外郭ケース１１に設けられ、押し下げ操作可能な操作ボタン１４と、外郭ケース１１の内部に設けられ、押動されることで発電可能な発電部１８を有する発電機１７と、外郭ケース１１の内部に設けられ、操作ボタン１４が押し下げ操作されると、発電機１７の発電部１８を押動するように移動するリンク機構４０と、外郭ケース１１の内部に設けられ、発電機１７が発電したときに発生する音を低減させる音低減部と、を備え、発電機１７は、発電部１８が発電したときに振動を発生させ、リンク機構４０を介して操作ボタン１４に振動を伝達することでクリック感を出力するクリック機構１９を有し、音低減部は、クリック機構１９が振動したときに発生する音を低減させることを特徴としている。
【００８２】
これにより、クリック機構１９により発電機１７内の振動が操作ボタン１４に伝達されるため、使用者は発電が適切に行われたことを認識することができる。また、音低減部により、クリック機構１９が振動したときの音が低減されるため、リモコン装置１０の操作音を他の使用者に聞こえ難くでき、静音性を向上させることができる。
【００８３】
また、音低減部は、内部に発電機１７を収納する収納ケース２０であることを特徴としている。また、収納ケース２０は、弾性材料により形成されていることを特徴としている。収納ケース２０は、音自体を低減するのではなく、発生した音が外部に漏れないようにしている。これにより、操作ボタン１４に伝達される振動を大きくしてクリック感を得やすくしても、外部に漏れる音を小さくすることができる。また、収納ケース２０を例えばゴムなどの弾性材料により形成しているので、防音性を高くすることができる。
【００８４】
また、外郭ケース１１の内部に設けられ、リンク機構４０が取付けられるベース１５を、さらに備え、ベース１５は、リンク機構４０を摺動可能に支持する支持部４５、５５を有することを特徴としている。これにより、リンク機構４０のがたつきを抑制することができ、リンク機構４０が作動したときにリンク機構４０と他の部材との接触音を低減することができる。
【００８５】
また、操作ボタン１４とリンク機構４０との間に設けられ、操作ボタン１４の押し下げ操作によりリンク機構４０を水平方向に移動させる伝達機構３０を、さらに備え、リンク機構４０は、伝達機構３０に当接する第１スライド杆４２、５２と、第１スライド杆４２、５２に接続され水平方向に延びる第２スライド杆４３、５３と、を有し、支持部４５、５５は、第２スライド杆４３、５３の長手方向に離間して複数個設けられていることを特徴としている。これにより、リンク機構４０を安定して保持させることができ、リンク機構４０が作動したときに発生する音を低減することができる。
【００８６】
また、第２スライド杆４３、５３は、長手方向に延びた長孔４３ｂ、５３ｂを有し、支持部４５、５５は、ベース１５から操作ボタン１４側に向けて突出し、第２スライド杆４３、５３の長孔４３ｂ、５３ｂと係合することにより、第２スライド杆４３、５３を長手方向に摺動可能に支持することを特徴としている。これにより、第２スライド杆４３、５３が支持部４５、５５に対して摺動するので、リンク機構４０と他の部材との接触箇所が少なく、リンク機構４０が作動したときに発生する音を低減することができる。
【００８７】
また、操作ボタン１４と外郭ケース１１との間に設けられ、操作ボタン１４が押し下げ操作されたときに操作ボタン１４と外郭ケース１１との接触音を低減する緩衝材７０を、さらに備えたことを特徴としている。これにより、緩衝材７０は、操作ボタン１４と外郭ケース１１との突き当たり音（接触音）を低減したため、操作ボタン１４を押し下げ操作したときの操作音をより低減できる。
【００８８】
また、緩衝材７０は、操作ボタン１４を押し下げ操作したときに、外郭ケース１１と操作ボタン１４とにのみ接触することを特徴としている。これにより、緩衝材７０がリンク機構４０や伝達機構３０に接触していないので、発電機１７のクリック機構１９で出力されるクリック感を減衰させずに使用者に伝えることができる。
【００８９】
図１２は、本発明の変形例によるリモコン装置のリンク機構などを示す正面図である。
この変形例によるリモコン装置１０の特徴は、上述した実施形態による戻しバネ４４と戻しバネ５４とに変えて、ねじりバネ９０と緩衝バネ９５とを設けたことにある。なお、変形例では、上述した実施形態と同一の構成要素に同一符号を付し、その説明を省略する。
【００９０】
ねじりバネ９０は、連結杆６０の回動支点に設けられている。このねじりバネ９０は、第１リンク４１および第２リンク５１を初期位置に戻すように付勢している。例えば停止ボタン１４ａが押し下げ操作されると、連結杆６０は第２スライド杆４３の接触部４３ａにより押圧されてねじりバネ９０の弾性力に抗して回動する。そして、連結杆６０は、第２リンク５１の接触部５３ａを押圧して第２リンク５１をベース１５の他側から一側（発電機１７側）に向けてスライド移動させる。その後、停止ボタン１４ａの押し下げ操作が解除されると、ねじりバネ９０の弾性力により連結杆６０が初期位置に戻るように回動して、連結杆６０が接触部４３ａ、５３ａを押圧して第１リンク４１と第２リンク５１とを初期位置に戻す。
【００９１】
緩衝バネ９５は、ベース１５と第２リンク５１との間に設けられている。具体的には、緩衝バネ９５は、ベース１５と第２スライド杆５３との間に位置して、ベース１５に取付けられている。この緩衝バネ９５は、操作ボタン１４を押し下げ操作したときの操作音を低減するものである。緩衝バネ９５は、長手方向の一側がベース１５に取付けられ、他側が隙間Ｓを介して第２スライド杆５３に対向している。緩衝バネ９５の他側端部は、第２リンク５１が発電機１７に向けてスライド移動していないときには第２スライド杆５３との間に隙間Ｓが形成されている。一方、緩衝バネ９５の他側端部は、第２リンク５１が発電機１７に向けてスライド移動したときのストロークの最終段階で第２スライド杆５３に押圧される。
【００９２】
これにより、緩衝バネ９５は、第２リンク５１のストロークの最終段階で第２スライド杆５３を初期位置に戻す方向（一側から他側）に付勢する。この付勢力は、リンク機構４０から伝達機構３０を介して操作ボタン１４に伝わる。これにより、操作ボタン１４を押し下げ操作したときには、最初は軽く操作することができ最終位置では重くなる。その結果、押し下げ操作の最終位置では、操作ボタン１４を押し下げ操作したときの速度が低減されるので、操作ボタン１４が突当り部１３ｂに接触したときの接触音（打音）を抑制することができる。従って、例えば各突当り部１３ｂと各操作ボタン１４との間に緩衝剤７０を設けなくても、操作ボタン１４と突当り部１３ｂとの接触音を低減することができる。この場合、緩衝剤７０は、各操作ボタン１４に対応して設けなければならないが、緩衝バネ９５は、第２リンク５１に１個設けるだけでよいので、リモコン装置１０の組立性を向上できるとともに、コストを削減することができる。
【００９３】
かくして、このように構成された変形例によるリモコン装置１０においても、上述した実施形態と同様に、使用者に対して発電機１７が発電したことをクリック機構１９により認識させることができるとともに、クリック機構１９のクリック音および操作ボタン１４の操作音を低減して静音性を向上させることができる。
【００９４】
なお、上述した実施形態によるリモコン装置１０は、操作ボタン１４が上下方向で２段状に並んでいる場合を例に挙げて説明した。しかし、本発明はこれに限らず、例えば操作ボタンが横方向に一列に並んで設けられたものおよび上下方向で３段以上に並んでいるものとしてもよい。
【００９５】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、リモコン装置１０などが備える各要素の形状、寸法、材質、配置などは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【符号の説明】
【００９６】
１０ リモコン装置、 １１ 外郭ケース、 １２ 第１ケース、 １３ 第２ケース、 １３ａ 表面板、 １３ｂ 突当り部、 １３ｃ 貫通孔、 １４ 操作ボタン、 １４ａ 停止ボタン、 １４ｂ おしり洗浄ボタン、 １４ｃ ビデ洗浄ボタン、 １４ｄ 音発生ボタン、 １４ｅ 吐水流量小ボタン、 １４ｆ 吐水流量大ボタン、 １４ｇ 音量小ボタン、 １４ｈ 音量大ボタン、 １４ｉ ノズル洗浄ボタン、 １５ ベース、 １５ａ 挿通穴、 １６ 発電機取付部、 １６ａ カバー、 １７ 発電機、 １８ 発電部、 １８ａ 可動部、 １９ クリック機構、 ２０ 収納ケース、 ２０ａ 前ケース、 ２０ｂ 後ケース、 ３０ 伝達機構、 ３１ 突出棒、 ３２ 押圧部材、 ３３ 動力伝達部材、 ３３ａ 挿通孔、 ３３ｂ 傾斜面、 ３４ 戻しバネ、 ４０ リンク機構、 ４１ 第１リンク、 ４２ 第１スライド杆、 ４３ 第２スライド杆、 ４３ａ 接触部、 ４３ｂ 長孔、 ４４ 戻しバネ、 ４５ 支持部、 ４６ 軸部、 ４７ 鍔部、 ５１ 第２リンク、 ５２ 第１スライド杆、 ５３ 第２スライド杆、 ５３ａ 接触部、 ５３ｂ 長孔、 ５４ 戻しバネ、 ５５ 支持部、 ５６ 軸部、 ５７ 鍔部、 ６０ 連結杆、 ７０ 緩衝材、 ８０ 検出部、 ８２ 基板、 ８４ 電源部、 ８４ａ 蓄電素子、 ８６ 制御部、 ８６ａ マイコン、 ８６ｂ 高周波発生回路、 ８６ｃ 送信部、９０ ねじりバネ、 ９５ 緩衝バネ、 １００ トイレ装置、 １１０ 洋式腰掛便器、 １１０ａ 上面、 １１２ ボウル部、 １２０ 便座ユニット、 １２２ 本体部、 １２４ 便座、 １２６ 便蓋、 １３０ ノズル、 １３２ 湾曲凹面、 １３４ 延出部、 １３６ ノズルダンパー、 ２００ 貫通孔、 Ｓ 隙間
【図１】
2020147918.tif 000003
【図２】
2020147918.tif 000004
【図３】
2020147918.tif 000005
【図４】
2020147918.tif 000006
【図５】
2020147918.tif 000007
【図６】
2020147918.tif 000008
【図７】
2020147918.tif 000009
【図８】
2020147918.tif 000010
【図９】
2020147918.tif 000011
【図１０】
2020147918.tif 000012
【図１１】
2020147918.tif 000013
【図１２】
2020147918.tif 000014